(57)【要約】【課題】  写真に焼かれた日付を抽出し、画像ファイルに付加あるいはテーブルを作ることで、撮影日で写真を検索できるようにすることを目的とする。また、その撮影日と、スケジューラ等で作られたスケジュールデータと関連付けることで行事でも検索できるようにすることを目的とする。【解決手段】  写真に焼かれた日付を抽出し、画像ファイルに付加あるいは画像ファイルとその日付を関連付けてリストアップすることで写真画像の作成日も自動的に撮影日とすることが可能となる。また、その撮影日とスケジュールデータで関連付けられている日付と行事を関連付けることで、撮影したときの行事をキーワードとして検索することが可能となる。【選択図】  図１
2005100196.tif 000002
【特許請求の範囲】
【請求項１】
日付入り写真を読み取る画像読取手段と、前記画像読取手段で読み取った画像から日付を抽出する日付抽出手段と、前記画像読取手段で読み取った画像を圧縮する画像圧縮手段と、抽出した日付およびスケジュールデータによってその日付と関連付けられた行事を少なくとも含むヘッダ情報と画像データで構成される画像ファイルを生成する画像ファイル生成手段と、ファイルシステムにある画像ファイルのヘッダ情報を参照し、入力された日付もしくは行事から画像を検索する検索手段とを含む画像検索手段において、日付入り写真から日付および行事をヘッダ情報として含む画像ファイルを生成し、画像ファイル検索時には個々の画像ファイルのヘッダ情報内を日付もしくは行事で検索することを特徴とする画像検索手段。
【請求項２】
日付入り写真を読み取る画像読取手段と、前記画像読取手段で読み取った画像から日付を抽出する日付抽出手段と、前記画像読取手段で読み取った画像を圧縮する画像圧縮手段と、少なくとも抽出した日付を含むヘッダ情報と画像データで構成される画像ファイルを生成する画像ファイル生成手段と、日付と行事を関連付けているスケジュールデータを用いて行事を日付に変換する行事−日付変換手段と、ファイルシステムにある画像ファイルのヘッダ情報を参照し、日付から画像を検索する検索手段とを含む画像検索手段において、日付入り写真から日付をヘッダ情報として含む画像ファイルを生成し、画像ファイル検索時には行事を日付に変換し、個々の画像ファイルのヘッダ情報内を日付で検索することを特徴とする画像検索手段。
【請求項３】
日付入り写真を読み取る画像読取手段と、前記画像読取手段で読み取った画像から日付を抽出する日付抽出手段と、前記画像読取手段で読み取った画像を圧縮する画像圧縮手段と、抽出した日付とスケジュールデータによってその日付と関連付けられた行事および画像ファイルの場所を関連付ける情報を含むリンクデータを生成するリンクデータ生成手段と、前記リンクデータ生成手段によって生成されたリンクデータを用いて日付もしくは行事から画像を検索する検索手段とを含む画像検索手段において、日付入り写真から画像ファイルを生成し、また、その生成された画像の場所を日付および行事と関連付けるリンクデータを作成し、画像ファイル検索時にはそのリンクデータを用いて日付もしくは行事から検索することを特徴とする画像検索手段。
【請求項４】
日付入り写真を読み取る画像読取手段と、前記画像読取手段で読み取った画像から日付を抽出する日付抽出手段と、前記画像読取手段で読み取った画像を圧縮する画像圧縮手段と、抽出した日付と画像ファイルの場所を関連付ける情報を含むリンクデータを生成するリンクデータ生成手段と、日付と行事を関連付けているスケジュールデータを用いて行事を日付に変換する行事−日付変換手段と、前記リンクデータ生成手段によって生成されたリンクデータを用いて日付から画像を検索する検索手段とを含む画像検索手段において、日付入り写真から画像ファイルを生成し、また、その生成された画像の場所を日付と関連付けるリンクデータを作成し、画像ファイル検索時にはそのリンクデータを用いて日付から検索することを特徴とする画像検索手段。
【請求項５】
請求項１〜４において、スケジュールデータはスケジューラを用いて作られたものであることを特徴とする画像検索手段。
【請求項６】
請求項１〜５において、参照するスケジュールデータが複数であることを特徴とする画像検索手段。
【請求項７】
請求項６において、参照するスケジュールデータを選択できることを特徴とする画像検索手段。
【発明の詳細な説明】
【技術分野】
【０００１】
本発明は、画像の検索手段に関する。
【背景技術】
【０００２】
従来、スキャナで読み取った写真画像はデジタルカメラと異なり、撮影した日が作成日として記録されるのでなく、画像をファイルシステムに取り込んだ日が作成日となる。また、画像ファイルを検索する際、特に画像ということで区別されずにファイルとして検索され、ファイル名・作成日・ファイル形式・ファイルサイズ等を基準として検索されている。
【特許文献１】特開２００１−３３１７８１号公報
【発明の開示】
【発明が解決しようとする課題】
【０００３】
スキャナで読み込んだ写真画像の作成日は写真画像を読み込んだ日であり、作成日を自動的に撮影日とする手段はない。また、画像ファイルを検索する際、画像を撮影した時の行事をキーワードとした検索手段がない。
【課題を解決するための手段】
【０００４】
そこで、本発明では写真に焼かれた日付を抽出し、画像ファイルに付加あるいは画像ファイルとその日付を関連付けてリストアップすることで写真画像の作成日も自動的に撮影日とすることが可能となる。また、その撮影日とスケジュールデータで関連付けられている日付と行事を関連付けることで、撮影したときの行事をキーワードとして検索することが可能となる。
【発明の効果】
【０００５】
以上説明したように、本発明によれば、写真に焼かれた日付を抽出し、画像ファイルに付加あるいは画像ファイルとその日付を関連付けてリストアップすることで、写真画像の作成日も自動的に撮影日とすることが可能となる。また、その撮影日とスケジュールデータで関連付けられている日付と行事を関連付けることで、撮影したときの行事をキーワードとして検索することが可能となる。
【発明を実施するための最良の形態】
【０００６】
（実施例１）
図１は本発明の画像検索手段を利用しているシステムを示したものである。
【０００７】
以下に各ブロックの説明記載する。００１はパソコンで、スキャナ００２から読み込んだ画像データを圧縮したり、読み込んだ画像の中から日付を抽出したり、ファイルシステムにあわせて日付と画像格納場所の関連付けをしたり、スケジュールデータを用いて日付と行事の関連付けをしたり、行事を検索キーワードとして画像を検索したりするものである。００２はスキャナで、原稿をデジタル信号にするものである。００３はデータベースで、スケジュールデータや画像ファイルを格納しておくところであり、これは図示しないパソコン００１内にあるハードディスクでも代用できる。００４はデジタル複写機で、００１〜００３の全ての機能あるいは一部の機能を有するものである。
【０００８】
つぎに、各ブロックが画像ファイル格納時にどのような働きをするのかについて図１、図２を用いて説明記載する。
【０００９】
まず、スキャナ００２もしくはデジタル複写機００４から原画００５が読み込まれる。次にパソコン００１もしくはデジタル複写機００４でその読み込まれた画像データから日付（２０ＸＸ．４．２）を抽出し、画像データを圧縮する。さらに、スケジューラ等で入力され、パソコン００１内にある図示しないハードディスクもしくはデータベース００３もしくはデジタル複写機００４内にある図示しないハードディスクに記憶されているスケジュールデータ００６をもとに、その抽出された日付（２０ＸＸ．４．２）に対応する行事を検索する。そして、その結果（登山）・抽出した日付・ファイルサイズ等のヘッダ部と圧縮画像データから画像ファイル００７を作成したり、もしくは行事を含まない画像ファイルと行事との関連付けを作成したりして、パソコン００１内にある図示しないハードディスクもしくはデータベース００３もしくはデジタル複写機００４内にある図示しないハードディスクにそのファイルを格納する。
【００１０】
また、検索時にはこのファイルに含まれている行事、もしくは行事と画像ファイルを関連付けしているテーブルによって検索を行う。
【００１１】
では、以上説明してきた画像ファイルの格納と検索について詳細に説明をしていく。図３は本発明の画像検索手段を示したものである。
【００１２】
以下に各ブロックの説明記載をする。１０１は画像読取手段であり、写真原稿をデジタル信号に変換する手段である。１０２は日付抽出手段であり、読み取られた画像データからＯＣＲ技術を用いて日付を抽出する手段である。１０３は画像ファイル生成手段であり、日付抽出手段１０２で抽出された日付と、その日付にスケジュールデータ１０５によって関連付けられた行事等をヘッダとし、画像圧縮手段１０４で圧縮された画像データをファイル化する手段である。１０４は画像圧縮手段であり、画像読取手段１０１で読み込まれた画像データを圧縮する手段である。１０５はスケジュールデータで、日付と行事が関連付けられているデータである。１０６は日本語解析手段で、キーワードとして入力された行事に類似する語句を求める手段である。１０７は検索手段で、行事を検索キーワードとして入力されると各画像ファイル１０８のヘッダ部分を参照し検索結果を出力する手段である。１０８は画像ファイルで、画像ファイルのヘッダ部分には行事を含むファイルである。１０９はファイルシステムで、画像ファイルのヘッダ部分に行事を含むシステムである。
【００１３】
次に請求項１の日付入り写真を読み取る画像読取手段と、前記画像読取手段で読み取った画像から日付を抽出する日付抽出手段と、前記画像読取手段で読み取った画像を圧縮する画像圧縮手段と、抽出した日付およびスケジュールデータによってその日付と関連付けられた行事を少なくとも含むヘッダ情報と画像データで構成される画像ファイルを生成する画像ファイル生成手段と、ファイルシステムにある画像ファイルのヘッダ情報を参照し、入力された日付もしくは行事から画像を検索する検索手段とを含む画像検索手段において、日付入り写真から日付および行事をヘッダ情報として含む画像ファイルを生成し、画像ファイル検索時には個々の画像ファイルのヘッダ情報内を日付もしくは行事で検索することを特徴とする画像検索手段で画像を保存・検索をする際に各ブロックがどのような働きをするのかについて、図１、３、７を用いて説明記載する。
【００１４】
先に画像の保存であるが、最初に写真原稿は画像読取手段１０１によって読み込まれる（ステップＳ１０１）。次に前記ステップＳ１０１で得られた画像データから日付抽出手段１０２を用いて日付を抽出する（ステップＳ１０２）。
【００１５】
また、それと並列に画像圧縮手段１０４を用いて画像データを圧縮する。ここで、圧縮方式はなんであっても構わないし、並列に処理されなくても構わない（ステップＳ１０３）。その後、前記ステップＳ１０２で抽出された日付とスケジュールデータ１０５によって関連付けられている行事を検索する（ステップＳ１０４）。最後に、ステップＳ１０２で抽出された日付と前記ステップＳ１０４で検索された行事等を含んだヘッダと、ステップＳ１０３で圧縮された画像ファイルを一つのファイルにする画像ファイル生成手段１０３で画像ファイルを生成する。ここで、ヘッダは図１１に示してあるように画像ファイルの作成日、アクセス日、ファイルサイズ、ファイル種類、圧縮形式、撮影日（抽出した日付）、行事等ファイルの特性を示すものであれば何が含まれていてもよい（ステップＳ１０５）。
【００１６】
次に画像ファイルの検索であるが、最初に検索キーワードである行事を日本語解析手段１０６に入力する（ステップＳ１０６）。次に、入力された行事について日本語解析手段１０６を用いて類似する語句を新たな検索キーワードとする。例えば、登山という行事入力に対してハイキングでも検索できるようにする手段である（ステップＳ１０７）。そして、前記ステップＳ１０７で求まった新たな検索キーワードを用いてファイルシステム１０９内の画像ファイル１０８のヘッダ部分を参照し、検索キーワードと画像ファイルの行事が一致するものを検索する（ステップＳ１０８）。最後に検索された結果を出力する。これは、パソコン００１のモニタに表示してもいいし、デジタル複写機００４の操作部に表示してもいいし、デジタル複写機００４から紙にリストとして出力してもよい（ステップＳ１０９）。
【００１７】
（実施例２）
図４は請求項２の画像検索手段の構成を示すものである。
【００１８】
以下に各ブロックの説明記載をする。２０１は画像読取手段であり、写真原稿をデジタル信号に変換する手段である。２０２は日付抽出手段であり、読み取られた画像データからＯＣＲ技術を用いて日付を抽出する手段である。２０３は画像ファイル生成手段であり、日付抽出手段２０２で抽出された日付を含むファイル属性をヘッダとし、画像圧縮手段２０４で圧縮された画像データをファイル化する手段である。２０４は画像圧縮手段であり、画像読取手段２０１で読み込まれた画像データを圧縮する手段である。２０５は日本語解析手段で、キーワードとして入力された行事に類似する語句を求める手段である。２０６は行事−日付変換手段であり、スケジュールデータ２０９を用いて行事を日付に変換する手段である。２０７は検索手段で、前記行事−日付変換手段によって変換された日付を検索キーワードとして各画像ファイル２０８のヘッダ部分を参照し検索結果を出力する手段である。２０８は画像ファイルで、画像ファイルのヘッダ部分には行事を含むファイルである。２０９はスケジュールデータで、日付と行事が関連付けられているデータである。２１０はファイルシステムで、画像ファイルのヘッダ部分に日付を含むシステムである。次に請求項２の日付入り写真を読み取る画像読取手段と、前記画像読取手段で読み取った画像から日付を抽出する日付抽出手段と、前記画像読取手段で読み取った画像を圧縮する画像圧縮手段と、少なくとも抽出した日付を含むヘッダ情報と画像データで構成される画像ファイルを生成する画像ファイル生成手段と、日付と行事を関連付けているスケジュールデータを用いて行事を日付に変換する行事−日付変換手段と、ファイルシステムにある画像ファイルのヘッダ情報を参照し、日付から画像を検索する検索手段とを含む画像検索手段において、日付入り写真から日付をヘッダ情報として含む画像ファイルを生成し、画像ファイル検索時には行事を日付に変換し、個々の画像ファイルのヘッダ情報内を日付で検索することを特徴とする画像検索手段で画像を保存・検索をする際に各ブロックがどのような働きをするのかについて、図１、４、８を用いて説明記載する。
【００１９】
先に画像の保存であるが、最初に写真原稿は画像読取手段２０１によって読み込まれる（ステップＳ２０１）。次に前記ステップＳ２０１で得られた画像データから日付抽出手段２０２を用いて日付を抽出する（ステップＳ２０２）。
【００２０】
また、それと並列に画像圧縮手段２０４を用いて画像データを圧縮する。ここで、圧縮方式はなんであっても構わないし、並列に処理されなくても構わない（ステップＳ２０３）。最後に、ステップＳ２０２で抽出された日付等を含んだヘッダと、ステップＳ２０３で圧縮された画像ファイルを一つのファイルにする画像ファイル生成手段２０３で画像ファイルを生成する。ここで、ヘッダは図１１に示してあるように画像ファイルの作成日、アクセス日、ファイルサイズ、ファイル種類、圧縮形式、撮影日（抽出した日付）等ファイルの特性を示すものであれば何が含まれていてもよい。ただし、この請求項２ではヘッダに行事を含まない（ステップＳ２０４）。
【００２１】
次に画像ファイルの検索であるが、最初に検索キーワードである行事を日本語解析手段２０５に入力する（ステップＳ２０５）。次に、入力された行事について日本語解析手段２０５を用いて類似する語句を新たな検索キーワードとする。例えば、登山という行事入力に対してハイキングでも検索できるようにする手段である（ステップＳ２０６）。そして、前記ステップＳ２０６で求まった検索キーワードと一致する日付をスケジュールデータ２０９から求め、新たな検索キーワードとする（ステップＳ２０７）。そして、前記ステップＳ２０７で求まった新たな検索キーワードを用いてファイルシステム２１０内の画像ファイル２０８のヘッダ部分を参照し、検索キーワードと画像ファイルの行事が一致するものを検索する（ステップＳ２０８）。最後に検索された結果を出力する。これは、パソコン００１のモニタに表示してもいいし、デジタル複写機００４の操作部に表示してもいいし、デジタル複写機００４から紙にリストとして出力してもよい（ステップＳ２０９）。
【００２２】
（実施例３）
図５は請求項３の画像検索手段の構成を示すものである。
【００２３】
以下に各ブロックの説明記載をする。３０１は画像読取手段であり、写真原稿をデジタル信号に変換する手段である。３０２は日付抽出手段であり、読み取られた画像データからＯＣＲ技術を用いて日付を抽出する手段である。３０３はリンクデータ生成手段であり、スケジュールデータ３０６を用いて行事と日付を関連付ける行事−日付変換テーブルと、日付抽出手段３０２で抽出された日付と画像ファイル生成手段３０５で生成された画像ファイルの格納されているアドレスもしくはパス・ファイル名を関連付ける日付−画像変換テーブルを含むリンクデータ３０９を生成する手段である。３０４は画像圧縮手段であり、画像読取手段３０１で読み込まれた画像データを圧縮する手段である。３０５は画像ファイル生成手段である。３０６はスケジュールデータで、日付と行事が関連付けられているデータである。３０７は日本語解析手段で、キーワードとして入力された行事に類似する語句を求める手段である。３０８は画像ファイル検索手段で、リンクデータ３０９を用いて入力されたキーワードから所望の画像ファイルのアドレスもしくはパス・ファイル名を検索し、出力する手段である。３０９はリンクデータで行事−日付変換テーブルと日付−画像変換テーブルを含むデータである。３１０は画像ファイルで、抽出された日付に関して特に付加されている情報はない。３１１はファイルシステムで、画像を検索する際にはリンクデータを参照するシステムである。
【００２４】
次に請求項３の日付入り写真を読み取る画像読取手段と、前記画像読取手段で読み取った画像から日付を抽出する日付抽出手段と、前記画像読取手段で読み取った画像を圧縮する画像圧縮手段と、抽出した日付とスケジュールデータによってその日付と関連付けられた行事および画像ファイルの場所を関連付ける情報を含むリンクデータを生成するリンクデータ生成手段と、前記リンクデータ生成手段によって生成されたリンクデータを用いて日付もしくは行事から画像を検索する検索手段とを含む画像検索手段において、日付入り写真から画像ファイルを生成し、また、その生成された画像の場所を日付および行事と関連付けるリンクデータを作成し、画像ファイル検索時にはそのリンクデータを用いて日付もしくは行事から検索することを特徴とする画像検索手段で画像を保存・検索をする際に各ブロックがどのような働きをするのかについて、図１、５、９を用いて説明記載する。
【００２５】
先に画像の保存であるが、最初に写真原稿は画像読取手段３０１によって読み込まれる（ステップＳ３０１）。次に前記ステップＳ３０１で得られた画像データから日付抽出手段３０２を用いて日付を抽出する（ステップＳ３０２）。
【００２６】
そして、リンクデータ生成手段３０３において前記ステップＳ３０２で抽出された日付とスケジュールデータ３０６を用いて行事−日付変換テーブルを作成する。ここで例えば、行事―日付変換テーブルは図１２のような構成をしており、スケジュールデータそのものではなく、画像が追加されるごとに抽出された日付に行われた行事をスケジュールデータから探しテーブルに付加していき、同じ行事に対しては日付のみ付加していくような構成が考えられる（ステップＳ３０３）。また、前記ステップＳ３０２、Ｓ３０３と並列に画像圧縮手段３０４を用いて画像データを圧縮する。ここで、圧縮方式はなんであっても構わないし、並列に処理されなくても構わない（ステップＳ３０４）。次に画像ファイル生成手段３０５を用いて前記ステップＳ３０４で圧縮された画像データに日付、データサイズ等をファイルシステムにあわせて情報を付加し、画像ファイルを生成する。ここで、画像ファイルにファイル属性の情報を付加しない場合はこのステップを省くことができる（ステップＳ３０５）。最後に、リンクデータ生成手段３０３を用いて、抽出された日付と、画像ファイルのアドレスもしくはパス・ファイル名とを関連付ける日付−画像変換テーブルを作成する。ここで例えば、日付―画像変換テーブルは図１２のような構成をしていて抽出された日付のみテーブルに付加し、同じ日付については画像場所のみを示す情報を付加するというような構成が考えられる。また、前記ステップＳ３０３で作成した行事―日付変換テーブルとを組み合わせて行事−画像変換テーブルのようなものを作ってもよい（ステップＳ３０６）。
【００２７】
次に画像ファイルの検索であるが、最初に検索キーワードである行事を日本語解析手段３０７に入力する（ステップＳ３０７）。次に、入力された行事について日本語解析手段３０７を用いて類似する語句を新たな検索キーワードとする。例えば、登山という行事入力に対してハイキングでも検索できるようにする手段である（ステップＳ３０８）。最後に行事−日付変換テーブルと日付―画像変換テーブルを用いて検索キーワードから画像ファイルの格納場所を結果として出力する。これは、パソコン００１のモニタに表示してもいいし、デジタル複写機００４の操作部に表示してもいいし、デジタル複写機００４から紙にリストとして出力してもよい（ステップＳ３０９）。
【００２８】
（実施例４）
図６は請求項４の画像検索手段の構成を示すものである。
【００２９】
以下に各ブロックの説明記載をする。４０１は画像読取手段であり、写真原稿をデジタル信号に変換する手段である。４０２は日付抽出手段であり、読み取られた画像データからＯＣＲ技術を用いて日付を抽出する手段である。４０３はリンクデータ生成手段であり、日付抽出手段４０２で抽出された日付と画像ファイル生成手段４０５で生成された画像ファイルの格納されているアドレスもしくはパス・ファイル名を関連付ける日付−画像変換テーブルを含むリンクデータ４１０を生成する手段である。４０４は画像圧縮手段であり、画像読取手段４０１で読み込まれた画像データを圧縮する手段である。４０５は画像ファイル生成手段である。４０６は日本語解析手段で、キーワードとして入力された行事に類似する語句を求める手段である。４０７は行事―日付変換手段で、スケジュールデータ４０９を用いて、入力された行事名からそれに対応する日付を求める手段である。４０８は画像ファイル検索手段で、リンクデータ４１０を用いて入力された日付から所望の画像ファイルのアドレスもしくはパス・ファイル名を検索し、出力する手段である。４０９はスケジュールデータで、日付と行事が関連付けられているデータである。４１０はリンクデータで日付−画像変換テーブルを含むデータである。４１１は画像ファイルで、抽出された日付に関して特に付加されている情報はない。４１２はファイルシステムで、画像を検索する際にはスケジュールデータ４０９とリンクデータ４１０を参照するシステムである。
【００３０】
次に請求項４の日付入り写真を読み取る画像読取手段と、前記画像読取手段で読み取った画像から日付を抽出する日付抽出手段と、前記画像読取手段で読み取った画像を圧縮する画像圧縮手段と、抽出した日付と画像ファイルの場所を関連付ける情報を含むリンクデータを生成するリンクデータ生成手段と、日付と行事を関連付けているスケジュールデータを用いて行事を日付に変換する行事−日付変換手段と、前記リンクデータ生成手段によって生成されたリンクデータを用いて日付から画像を検索する検索手段とを含む画像検索手段において、日付入り写真から画像ファイルを生成し、また、その生成された画像の場所を日付と関連付けるリンクデータを作成し、画像ファイル検索時にはそのリンクデータを用いて日付から検索することを特徴とする画像検索手段で画像を保存・検索をする際に各ブロックがどのような働きをするのかについて、図１、６、１０を用いて説明記載する。
【００３１】
先に画像の保存であるが、最初に写真原稿は画像読取手段４０１によって読み込まれる（ステップＳ４０１）。次に前記ステップＳ４０１で得られた画像データから日付抽出手段４０２を用いて日付を抽出する（ステップＳ４０２）。
【００３２】
また、前記ステップＳ４０２と並列に画像圧縮手段４０４を用いて画像データを圧縮する。ここで、圧縮方式はなんであっても構わないし、並列に処理されなくても構わない（ステップＳ４０３）。次に画像ファイル生成手段４０５を用いて前記ステップＳ４０３で圧縮された画像データに日付、データサイズ等をファイルシステムにあわせて情報を付加し、画像ファイルを生成する。ここで、画像ファイルにファイル属性の情報を付加しない場合はこのステップを省くことができる（ステップＳ４０４）。最後に、リンクデータ生成手段４０３を用いて、抽出された日付と、画像ファイルのアドレスもしくはパス・ファイル名とを関連付ける日付−画像変換テーブルを作成する。ここで例えば、日付―画像変換テーブルは図１２のような構成をしていて抽出された日付のみテーブルに付加し、同じ日付については画像場所のみを示す情報を付加するというような構成が考えられる（ステップＳ４０５）。
【００３３】
次に画像ファイルの検索であるが、最初に検索キーワードである行事を日本語解析手段４０６に入力する（ステップＳ４０６）。次に、入力された行事について日本語解析手段４０６を用いて類似する語句を新たな検索キーワードとする。例えば、登山という行事入力に対してハイキングでも検索できるようにする手段である（ステップＳ４０７）。その後、行事―日付変換手段４０７を用いて、前記ステップＳ４０７で求まった新たな検索キーワードから検索すべき日付を求める（ステップＳ４０８）。最後に日付―画像変換テーブルを用いて検索キーワードから画像ファイルの格納場所を結果として出力する。これは、パソコン００１のモニタに表示してもいいし、デジタル複写機００４の操作部に表示してもいいし、デジタル複写機００４から紙にリストとして出力してもよい（ステップＳ４０９）。
【図面の簡単な説明】
【００３４】
【図１】本発明の画像検索手段を用いているシステムを示す図
【図２】原稿画像から画像ファイルを作成する過程を示す図
【図３】実施例１の構成を示す図
【図４】実施例２の構成を示す図
【図５】実施例３の構成を示す図
【図６】実施例４の構成を示す図
【図７】実施例１の処理動作を示すフローチャート
【図８】実施例２の処理動作を示すフローチャート
【図９】実施例３の処理動作を示すフローチャート
【図１０】実施例４の処理動作を示すフローチャート
【図１１】抽出された日付情報等を含む画像ファイルの構成を示す図
【図１２】リンクデータの構成を示す図
【図１】
2005100196.tif 000003
【図２】
2005100196.tif 000004
【図３】
2005100196.tif 000005
【図４】
2005100196.tif 000006
【図５】
2005100196.tif 000007
【図６】
2005100196.tif 000008
【図７】
2005100196.tif 000009
【図８】
2005100196.tif 000010
【図９】
2005100196.tif 000011
【図１０】
2005100196.tif 000012
【図１１】
2005100196.tif 000013
【図１２】
2005100196.tif 000014